(57)【要約】【課題】簡易に着脱できる履物を得る。【解決手段】足で踏むことにより履物に足を挟持させ、つま先立ち状態もしくはかかと立ち状態により履物の挟持を外すことにする。【選択図】図９
2014000379.tif 000002
【特許請求の範囲】
【請求項１】
挟持具をU字両上端部内幅が少し狭まったような構造とし、U字両側内中段にアーチ状を原形とする踏み板をはめ込むと、その踏み板は足の踏み込みにより水平方向に展ばされながら一時的にU字の内幅を押し広げ、その後反転アーチ状態となりU字両上端部との間に足を挟みこむ役目となって、逆に足を抜き出すときも、蓄勢された反発力により再びU字の内幅を押し広げる役目となり、その後原形に戻るものであって、足を水平方向に出し入れする着脱法と兼用可能で、U字両上端部に円柱形もしくは樽形等の縦回転部材を配置すると、円滑な足の出し入れに有効であるが、これらを備えることで、足で踏むことにより装着でき、つま先立ち状態もしくはかかと立ち状態により脱履できることを特徴とする簡易着脱履物。
【発明の詳細な説明】
【技術分野】
【０００１】
簡易に着脱できる履物に関するものである。
【背景技術】
【０００２】
簡易に着脱できる履物については、スリッパやサンダル等のように部分的な甲革、甲帯、鼻緒で保持されるものがよく使用されており、前後左右の区別無く履けるもの、粘着させるもの、足指の間に突起を引っ掛けるもの等多数のものが存在する。
【先行技術文献】
【特許文献】
【０００３】
【特許文献１】登録実用新案第３０２８０６３号公報
【特許文献２】米国特許出願公開第２００８／０３０１９７４号
【発明の概要】
【発明が解決しようとする課題】
【０００４】
足指の間に突起を引っ掛けるものは、その使用に熟練を要し、簡単とはいかない。粘着させるものは、装着が簡単である反面、脱ぐときやその扱いに難点がある。スリッパやサンダル等は、歩く動作の流れで足を滑り込ませ、装着が簡単であるが、脱ぐときには、歩く動作の流れのままとはいかず、履物を少し前へ蹴り出すような動作あるいはその場で足踏みするような動作を必要とする。前後左右の区別無く履けるものも同様であり、特に履物中央部のみで保持されるものは、適度な保持力を維持しないと、使用中に履物がずれたり、脱げたりすることになる。
【課題を解決するための手段】
【０００５】
上記課題を解決するために本発明は、足で踏むことにより履物に足を挟持させ、挟持具を中央に取付けた場合はつま先立ち状態により、また端寄りに取付けた場合に、かかと側挟持用として使用する際はつま先立ち状態により、つま先側挟持用として使用する際はかかと立ち状態により履物の挟持を外すことにした。
【発明の効果】
【０００６】
本発明において、歩く動作の流れで足で踏むことにより履物を装着し、歩く動作の流れのなかで意識的につま先立ち状態をつくることにより履物を脱ぐことができる。挟持具を端寄りに取付け、つま先側挟持用として使用する際は、かかと立ち状態により履物を脱ぐので、歩く動作の流れのままとはいかないが、反対側から履物を装着する際には、かかと側挟持用として使用することもでき、いずれの箇所に挟持具を取付けたとしても、前後左右の区別無く履けるものである。使用中、履物は足を挟持しているので、履物がずれたり脱げたりしにくくなる。あえて、挟持具を端寄りに取付け、足のサイズの大きい人がかかと側挟持用として、足のサイズの小さい人がつま先側挟持用として使用し、サイズの大きな違いに対応させることも考えられる。
【図面の簡単な説明】
【０００７】
【図１】簡易着脱履物の使用実施例を示す側面図である。
【図２】簡易着脱履物の使用実施例を示す側面図である。
【図３】簡易着脱履物の使用実施例を示す側面図である。
【図４】簡易着脱履物の使用実施例を示す側面図である。
【図５】簡易着脱履物の使用実施例を示す側面図である。
【図６】簡易着脱履物の使用実施例を示す側面図である。
【図７】簡易着脱履物の実施例を示す中央付近横断面図である。
【図８】簡易着脱履物の使用実施例を示す中央付近横断面図である。
【図９】簡易着脱履物の使用実施例を示す中央付近横断面図である。
【図１０】簡易着脱履物の実施例を示す平面図である。
【発明を実施するための形態】
【０００８】
本発明を実施するため、履物の底板に挟持具を取付ける。挟持具は足甲の両側を挟み込むように底板から立ち上がり、適度な剛性と弾性を兼ねた部材にておおまかにはU字やW字に近い構造とする。一定以上の外力を加えることにより多少の塑性変形を生じさせ、使用者の足サイズに合わせられるよう、微調整できるものとしても良い。
【０００９】
挟持具をU字両上端部内幅が少し狭まったような構造とし、U字両側内中段にアーチ状を原形とする踏み板をはめ込むと、その踏み板は足の踏み込みにより水平方向に展ばされながら一時的にU字の内幅を押し広げ、その後反転アーチ状態となりU字両上端部との間に足を挟みこむ役目となる。逆に足を抜き出すときも、蓄勢された反発力により再びU字の内幅を押し広げる役目となり、その後原形に戻る。足を水平方向に出し入れする着脱法と兼用可能で、U字両上端部に円柱形もしくは樽形等の縦回転部材を配置すると、円滑な足の出し入れに有効である。
【実施例】
【００１０】
使用実施例について図面を参照して説明すると、図１、２、３は順に履物の装着時、使用中、脱履時の様子を表しており、挟持具を中央に取付けた設定であるが、挟持具を端寄りに取付けかかと側挟持用として使用した場合も細二点鎖線で描画している。また、図４、５、６は挟持具を端寄りに取付けつま先側挟持用として使用した設定で、順に履物の装着時、使用中、脱履時の様子を表している。なお、以降の図面および説明は挟持具を履物中央に取付けた設定である。
【００１１】
図７、８、９、１０は挟持具をU字両上端部内幅が少し狭まったような構造とし、U字両側内中段にアーチ状を原形とする踏み板をはめ込んだものである。底板１は脱履時のつま先立ち状態にて大きく足側にたわまないよう、その剛性を確保するべくフレームが埋め込まれ、これに挟持具２を固定してある。挟持具２は板材で、踏み板をヒンジ固定してあるが、一体成型でも良い。踏み板は足を水平方向に出し入れする場合を想定したものである。図８は装着時および脱履時、図９は使用中の様子を表している。
【産業上の利用可能性】
【００１２】
簡易に着脱できることで、履物の利便性を高めることが期待される。
【符号の説明】
【００１３】
１    底板
２    挟持具
３    回転部材
【図１】
2014000379.tif 000003
【図２】
2014000379.tif 000004
【図３】
2014000379.tif 000005
【図４】
2014000379.tif 000006
【図５】
2014000379.tif 000007
【図６】
2014000379.tif 000008
【図７】
2014000379.tif 000009
【図８】
2014000379.tif 000010
【図９】
2014000379.tif 000011
【図１０】
2014000379.tif 000012
【手続補正書】
【提出日】平成25年1月6日(2013.1.6)
【手続補正１】
【補正対象書類名】特許請求の範囲
【補正対象項目名】請求項１
【補正方法】変更
【補正の内容】
【請求項１】
挟持具をU字両上端部内幅が少し狭まったような構造とし、U字両側内中段にアーチ状を原形とする踏み板をはめ込むと、その踏み板は足の踏み込みにより水平方向に展ばされながら一時的にU字の内幅を押し広げ、その後反転アーチ状態となりU字両上端部との間に足を挟みこむ役目となって、逆に足を抜き出すときも、蓄勢された反発力により再びU字の内幅を押し広げる役目となり、その後原形に戻るものであって、足を水平方向に出し入れする着脱法と兼用可能で、U字両上端部に円柱形もしくは樽形の縦回転部材を配置すると、円滑な足の出し入れに有効であるが、これらを備えることで、足で踏むことにより装着でき、つま先立ち状態もしくはかかと立ち状態により脱履できることを特徴とする簡易着脱履物。